(57)【要約】【課題】下方部材の落下リスクを抑制する。【解決手段】送風路に接合するための屋内側開口と屋内側開口を含む平面に対して略垂直平面上に配置され鉛直下方に向けて開口する屋外側開口とを有し、屋内側開口と屋外側開口とを連通する上方部材と、屋外側開口を下方に延長する管状の下方部材と、を備えた通気口部材であって、下方部材は、第一側面部材と、第一側面部材と対向する第二側面部材と、第一側面部材と前期第二側面部材とに隣接する前方部材と、前方部材と対向し前方部材よりも屋内側開口側に位置する後方部材と、を備え、第一側面部材と第二側面部材と前方部材とは、通気口部材の設置状態における下方から上方に向かう平面であって上方部材に係止される垂直接合平面を備え、後方部材は、当該後方部材の上端辺から屋内側開口に向かって延設され上方部材に係止される水平接合平面、を備えた通気口部材。【選択図】図６
2020051659.tif 000002
【特許請求の範囲】
【請求項１】
送風路に接合するための屋内側開口と前記屋内側開口を含む平面に対して略垂直平面上に配置され鉛直下方に向けて開口する屋外側開口とを有し前記屋内側開口と前記屋外側開口とを連通する上方部材と、
前記屋外側開口を下方に延長する管状の下方部材と、を備えた通気口部材であって、
前記下方部材は、
第一側面部材と、
前記第一側面部材と対向する第二側面部材と、
前記第一側面部材と前期第二側面部材とに隣接する前方部材と、
前記前方部材と対向し前記前方部材よりも前記屋内側開口側に位置する後方部材と、を備え、
前記第一側面部材と前記第二側面部材と前記前方部材とは、
当該通気口部材の設置状態における下方から上方に向かう平面であって前記上方部材に係止される垂直接合平面を備え、
前記後方部材は、
当該後方部材の上端辺から前記屋内側開口に向かって延設され前記上方部材に係止される水平接合平面を備える通気口部材。
【請求項２】
前記下方部材は、
前記上方部材の前記屋外側開口における内周に前記垂直接合平面と前記水平接合平面とを位置して係止する請求項１記載の通気口部材。
【請求項３】
前記上方部材と前記垂直接合平面は、
ネジとリベットとにより係止される請求項１または２に記載の通気口部材。
【請求項４】
前記上方部材を構成する各面と前記下方部材を構成する前記垂直接合平面とは、
各面毎にネジとリベットの両方で係止される請求項１から３のいずれかに記載の通気口部材。
【請求項５】
前記上方部材の一面と前記前方部材における前記垂直接合平面は、
ネジとリベットとを交互に配置して係止される請求項１から４のいずれかに記載の通気口部材。
【請求項６】
前記上方部材の一面と前記前方部材における前記垂直接合平面は、
スポット溶接により係止される請求項１または２に記載の通気口部材。
【発明の詳細な説明】
【技術分野】
【０００１】
本発明は、通気口部材に関するものである。
【背景技術】
【０００２】
従来、給気用屋外フードは、壁に固定する上方部材と、上方部材に接合する下方部材の２つの管状部分によって風路を形成していた。
【先行技術文献】
【特許文献】
【０００３】
【特許文献１】特開２００７−２５５７８６号公報
【発明の概要】
【発明が解決しようとする課題】
【０００４】
このような従来の給気用屋外フードは、例えば雨の浸入を防ぐためなどの目的で、下方部材に防雨用の部品などを取付けて下方部材の重量が大きくなった場合、上方部材と下方部材を接合する係止部材の負荷が大きくなるという課題があった。
【０００５】
そこで本発明は、上記従来の課題を解決するものであり、下方部材の係止による負荷の削減と落下リスクの低減を図るものである。
【課題を解決するための手段】
【０００６】
そして、この目的を達成するために、本発明に係る通気口部材は、送風路に接合するための屋内側開口と前記屋内側開口を含む平面に対して略垂直平面上に配置され鉛直下方に向けて開口する屋外側開口とを有し、前記屋内側開口と前記屋外側開口とを連通する上方部材と、前記屋外側開口を下方に延長する管状の下方部材と、を備えた通気口部材であって、前記下方部材は、第一側面部材と、前記第一側面部材と対向する第二側面部材と、前記第一側面部材と前期第二側面部材とに隣接する前方部材と、前記前方部材と対向し前記前方部材よりも前記屋内側開口側に位置する後方部材と、を備え、前記第一側面部材と前記第二側面部材と前記前方部材とは、当該通気口部材の設置状態における下方から上方に向かう平面であって前記上方部材に係止される垂直接合平面を備え、前記後方部材は、当該後方部材の上端辺から前記屋内側開口に向かって延設され前記上方部材に係止される水平接合平面を備えるものであって、これにより所期の目的を達成するものである。
【発明の効果】
【０００７】
本発明によれば、下方部材の落下の危険性を低減する通気口部材を提供することができる。
【図面の簡単な説明】
【０００８】
【図１】本発明に係る通気口部材の建物への施工状態を示す概要図
【図２】通気口部材の側面図
【図３】上方部材の側面図
【図４】上方部材を下方から見た斜視図
【図５】下方部材を上方から見た斜視図
【図６】通気口部材を後方部材側から見た斜視図
【図７】第一上方接合穴と第一下方接合穴の接合が外れた後の通気口部材の側面図
【図８】部材同士をリベットにて固定した時の断面図
【発明を実施するための形態】
【０００９】
以下、本発明の実施の形態について図面を参照しながら説明する。なお、以下の実施の形態は、本発明を具体化した一例であって、本発明の技術的範囲を限定するものではない。また、全図面を通して、同一の部位については同一の符号を付して二度目以降の説明を省略している。
【００１０】
（実施の形態１）
以下、図１、図２、図３、図４、図５を用いて本発明に係る通気口部材１について説明する。なお、図１は、通気口部材１の建物への施工状態を示す概要図、図２は通気口部材１の側面図、図３は上方部材２の側面図、図４は上方部材２を下方から見た斜視図、図５は下方部材３を上方から見た斜視図である。
【００１１】
通気口部材１は、ビルや工場などの建物の外壁面２０等に取り付けられ、つまり屋外２１に配置される。通気口部材１は、外壁面２０近傍にて、外壁面２０を屋内２２側に貫通して設置される通気用のダクト２３の一端に接合される。通気口部材１は、例えばダクト２３の他端に設置された送風機２４による、屋外２１から屋内２２への送風により発生した気流２５を通過させる。つまり通気口部材１は、屋外２１から屋内２２への風路の一部である通気路２６を構成する。
【００１２】
通気口部材１は、通気路２６の途中で、図２に示すように、部材として上方部材２と下方部材３に分割されている。
【００１３】
上方部材２は、屋内側開口４と屋外側開口５とを備える。
【００１４】
屋内側開口４は、開口面、つまり屋内側開口４を含む平面が外壁面２０に対して平行に設けられる。
【００１５】
屋外側開口５は、屋内側開口４の開口面に対して略垂直平面上に配置される。つまり屋外側開口５は、開口を鉛直下方に向けて配置される。屋外側開口５には、下方部材３が当該屋外側開口５を下方に延長し、言い換えると通気路２６を下方に延長するように接合されている。つまり、通気路２６は略Ｌ字形状に屈折する。
【００１６】
上方部材２の下方付近、すなわち屋外側開口５の開口周囲には、図３に示すように、複数の上方接合穴６が設けられているが詳細は後述する。
【００１７】
図５に示すように、下方部材３は、第一側面部材７と第二側面部材８と前方部材９と後方部材１０とを備える。
【００１８】
第一側面部材７は、下方部材３の一側面を形成する。本実施の形態においては、第一側面部材７は、図２における紙面に平行な面であって、手前側に位置する面を構成する部材と定義する。第一側面部材７は、板状の略方形形状を有しており、詳しくは下面が後方部材１０から前方部材９側にかけて下方に傾斜する台形形状を有する。
【００１９】
第二側面部材８は第一側面部材７と対向する面を形成する。形状は第一側面部材７と同一であり、下面が後方部材１０から前方部材９側にかけて下方に傾斜する台形形状を有する。
【００２０】
前方部材９は、第一側面部材７と第二側面部材８に隣接して設けられる。本実施の形態においては、前方部材９は図１における建物などの外壁面２０から遠い位置に配置されている部材と定義する。
【００２１】
第一側面部材７と第二側面部材８と前方部材９の上方付近には、図５に示すように、上方部材２と下方部材３を接合したときに上方部材２の下方端部に設けられた上方接合穴６と穴の中心が一致する複数の下方接合穴１１が設けられている。上方接合穴６と下方接合穴１１を接合した際、接合のために重複する部位により、鉛直方向に延びる垂直接合平面１３が形成され、すなわち二つの穴の軸は水平方向を向く。このとき接合に用いられる上方接合穴６と下方接合穴１１をそれぞれ第一上方接合穴６ａ、第一下方接合穴１１ａとする。
【００２２】
後方部材１０は前方部材９と対向する面を形成する。また、後方部材１０の上方側端部は上端辺から屋内側開口４に向かって延設（折り曲げ）された水平接合平面１２を有している。水平接合平面１２には、上方部材２と下方部材３を接合したときに上方接合穴６と穴の中心が合うような複数の下方接合穴１１が設けられている。上方接合穴６と下方接合穴１１を接合した際、水平方向に延びる面が形成され、すなわち二つの穴の軸は鉛直方向を向く。このとき接合に用いられる上方接合穴６と下方接合穴１１をそれぞれ第二上方接合穴６ｂ、第二下方接合穴１１ｂとする。
【００２３】
上方部材２と下方部材３とを係止する際には、下方部材３が上方部材２の屋外側開口５の内周側に位置するように配置される。つまり、上方部材２の屋外側開口５における内周に垂直接合平面１３と前記水平接合平面１２とが位置する。上方部材２と下方部材３の接合には、ネジやリベットなどの固定部材１４が用いられる。
【００２４】
続いて図１、図６を参照しながら、上記構成において、下方部材３の落下を防止する作用を説明する。図６は、通気口部材１を後方部材１０側から見た斜視図であり壁などは省略している。
【００２５】
通気口部材１は、ビルや工場などの建物の外壁面２０に設置されるため、高所に設置されることがある。台風接近時などで強い風が吹いたとき、高所では特に風速が早く、通気口部材１は風圧による強い力を受ける。ただし、後方部材１０を含む面は、外壁面２０に近いため風速が遅く、風により受ける力は小さい。言い換えると、第一側面部材７、第二側面部材８、前方部材９と平行する面は力を受けやすい。また、風は壁面にそって吹くため、第一側面部材７や第二側面部材８が構成する面が特に強い力を受ける。
【００２６】
ここで通気口部材１は内側が空洞であるため、このとき受ける力（例えば第一側面部材７を含む面が受ける力３０）により、力を受けた面は、凹上に変形する。この変形により、第一上方接合穴６ａと第一下方接合穴１１ａを固定している固定部材１４は応力を受ける。ただし、第二上方接合穴６ｂと第二下方接合穴１１ｂの平面（固定部材１４）は風による力をほとんど受けない。
【００２７】
従って、長期に及び風による影響で大きな力を受けたとき、比較において破損の可能性が高いのは第一上方接合穴６ａと第一下方接合穴１１ａの接合部分である。この接合部分が破損したとき、第二上方接合穴６ｂと第二下方接合穴１１ｂの接合のみが残るため、図７に示すように前方部材９側が下方に垂れ下がり、均衡が取れる位置で下方部材３が停止する。
【００２８】
上記により、風による力を受けても、第二上方接合穴６ｂと第二下方接合穴１１ｂにより鉛直方向で接合された水平接合平面１２が強固に接合を維持することが可能になる。特に雨の浸入を防ぐためなどの目的で、下方部材３に防雨用の部品などを取付けて下方部材３の重量が大きくなった場合でも、落下を防止することが可能となる。さらに、図７の状態では、通常時とは見た目が違うことで、周囲の人は通気口部材１の異常に気が付くことができるため、下方部材３が落下し、下方にいる人に当たるという危険の可能性を低減することができる。
【００２９】
また、上方部材２の屋外側開口５の内側寸法は、下方部材３の上方側開口１５の外側寸法よりも小さくなっている。すなわち、上方部材２と下方部材３を接合したときに、上方部材２の内側に下方部材３が配置されるように接合されることが望ましい。
【００３０】
これにより、上方より落ちてきた雨水が上方部材２と下方部材３の接合部分を伝って垂れていくときに、接合隙間より通気路２６に雨水が浸入しにくいという効果を得ることができる。
【００３１】
また、上方接合穴６と下方接合穴１１との接合には、各面、ネジとリベット１６を混合して用いられることが望ましい。
【００３２】
上記構成による作用を、図８を用いながら説明する。
【００３３】
ネジは、その固定方法上、固定する部材同士の隙間を徐々に狭めながら固定していく。しかし、ネジの固定部に振動や力が加わると、ネジ山が潰れてしまい、固定が外れてしまう危険性がある。一方リベット１６は、振動や力が加わっても、接合部分が潰れ、固定が外れるという危険性は少ない。ただし固定方法の特性上、固定する部材Ａ１７、部材Ｂ１８の隙間１９があると、その隙間１９を残したまま固定されてしまう。部材同士の隙間１９が発生すると、通気口部材１の通気路２６から空気が漏れてしまい、また、雨滴が浸入しやすいという問題が発生する。
【００３４】
これに対して、各接合面、つまり第一側面部材７と第二側面部材８と前方部材９と後方部材１０それぞれの面毎に、接合部に対してネジとリベット１６を混合して用いる。これにより、ネジにより隙間１９発生を小さくしながら、ネジ山が潰れても、リベット１６の固定により第一上方接合穴６ａと第一下方接合穴１１ａの接合を保持することができる。ネジとリベットによる係止は、交互に行うことが望ましい。ここで交互とは、隣接する固定部材１４は、種類が異なることを言い、リベット、ネジ、リベット・・・といった順序を言う。これによりネジによりまんべんなく隙間を無くしてから、リベットにより均等に接合することができる。
【００３５】
また、施工時の順序として、面毎にネジによる係止をまず行い、その後リベットによる係止を行うことで隙間なく強度の高い接合が可能になる。
【００３６】
また、上記ネジやリベットの代替としてスポット溶接などの固定方法を用いてもよい。これにより、ネジやリベットよりも加工費用や部品材料費用を削減しながら強度の高い接合が可能になる。
【産業上の利用可能性】
【００３７】
本発明にかかる通気口部材は、下方に穴が向いている設備に対し追加で部材を設置するときなどの利用が考えられるため、建物に既設されている換気口全般への利用が考えられる。
【符号の説明】
【００３８】
１    通気口部材
２    上方部材
３    下方部材
４    屋内側開口
５    屋外側開口
６ａ    第一上方接合穴
６ｂ    第二上方接合穴
７    第一側面部材
８    第二側面部材
９    前方部材
１０    後方部材
１１ａ    第一下方接合穴
１１ｂ    第二下方接合穴
１２    水平接合平面
１３    垂直接合平面
１４    固定部材
１５    上方側開口
１６    リベット
１９    隙間
２０    外壁面
２１    屋外
２２    屋内
２３    ダクト
２４    送風機
２５    気流
２６    通気路
【図１】
2020051659.tif 000003
【図２】
2020051659.tif 000004
【図３】
2020051659.tif 000005
【図４】
2020051659.tif 000006
【図５】
2020051659.tif 000007
【図６】
2020051659.tif 000008
【図７】
2020051659.tif 000009
【図８】
2020051659.tif 000010